(57)【特許請求の範囲】
【請求項１】
モーアデッキの内部に縦軸心周りに回転駆動される複数の回転ブレードを並列配備するとともに、モーアデッキに前記回転ブレードの先端回動軌跡に沿って前部バッフルプレートを配備したモーアにおいて、
前記前部バッフルプレートを屈折変形して、前記回転ブレードの先端回動軌跡に近づく第１姿勢と、前記先端回動軌跡から離れる第２姿勢とに切換え可能に構成してあることを特徴とするモーア。
【請求項２】
前記第１姿勢において、前記前部バッフルプレートの前記屈折変形する部分が直線状に配置されるとともに、前記前部バッフルプレートの前記屈折変形する部分を前方に屈折することにより、前記第２姿勢に切換え可能に構成してある請求項１記載のモーア。
【請求項３】
前記第１姿勢において、前記前部バッフルプレートの前記屈折変形する部分が直線状に配置されるとともに、前記前部バッフルプレートの前記屈折変形する部分を後方に屈折することにより、当該前部バッフルプレートが前記第１姿勢よりも前記回転ブレードの先端回動軌跡に近づく第３姿勢に切換え可能に構成してある請求項１又は２記載のモーア。
【発明の詳細な説明】
【技術分野】
【０００１】
本発明は、主として芝刈り用に利用されるモーアに関する。
【背景技術】
【０００２】
芝刈り用のモーアとしては、天井面が扁平に形成されたフラットデッキ型のモーアデッキの内部に、縦軸心周りに回転駆動される複数の回転ブレードを並列配備するとともに、モーアデッキの内方前部に、回転ブレードの先端回動軌跡に沿った波型状の前部バッフルプレートを設けて、各回転ブレードで切断した刈草をブレード毎に持ち回り細断してモーア通過跡に放置してゆくマルチング形態で草刈り作業を行うよう構成したものが知られている（例えば、特許文献１参照）。
【特許文献１】特開２００５−２５３３８６号公報
【発明の開示】
【発明が解決しようとする課題】
【０００３】
モーアにおいては前述のマルチング形態に対して、各切断室を連通させ最外端の切断室を横外方に開放して、刈草を最外端の切断室から横外方に排出するサイドディスチャージ形態がある。
近年ではサイドディスチャージ形態においても、草刈り性能の向上と言う面から、マルチング形態で使用される波型状に近い形状の前部バッフルプレートを採用することが増えてきている。
【０００４】
本発明は、このような点に着目してなされたものであって、サイドディスチャージ形態での草刈り作業において、草丈、草の腰の強さ、草の湿り具合、などの条件に応じて切断室の前方周壁形状を変更して、刈残しのない草刈り、および、排出性能の優れた草刈りを行えるようにすることを目的としている。
【課題を解決するための手段】
【０００５】
第１の発明は、モーアデッキの内部に縦軸心周りに回転駆動される複数の回転ブレードを並列配備するとともに、モーアデッキに回転ブレードの先端回動軌跡に沿って前部バッフルプレートを配備したモーアにおいて、
前部バッフルプレートを屈折変形して、回転ブレードの先端回動軌跡に近づく第１姿勢と、先端回動軌跡から離れる第２姿勢とに切換え可能に構成してあることを特徴とする。
【０００６】
上記構成によると、前部バッフルプレートを回転ブレードの先端回動軌跡に近づいた第１姿勢にすることで、回転ブレードの回転によって発生した搬送気流を失速させることなく前部バッフルプレートに沿って流動させることができ、刈草を最外端の切断室から横外方に効率よく流動排出することができる。この第１姿勢は、刈草をできるだけ遠くに均等にばら蒔く必要がある場合等のように、刈草の排出性能・放出性能を重視する場合に適している。
前部バッフルプレートを回転ブレードの先端回動軌跡から離れた第２姿勢にすることで、前部バッフルプレートの下端を倒れながら潜り抜けた草が起き上がるための空間が大きくなり、草が前部バッフルプレートから回転ブレードに達するまでの時間を稼ぐことができ、この間に倒れた草が起立しやすくなって、草を良好な起立姿勢にしての切断が行われる。この第２姿勢は、草丈が高い場合や草が生育密度が高い場合、草の腰が弱い場合等において、刈残しを少なくする必要がある場合等のように、草刈り性能を重視する場合に適している。
従って、第１の発明によると、草丈、草の腰の強さ、草の生育密度、草の湿り具合、などの各種条件に応じて前部バッフルプレートの姿勢を変更して、刈残しのない草刈り、および、排出性能の優れた草刈りを行えるようになった。
【０００７】
【０００８】
また、上記構成によると、前部バッフルプレートを屈曲変形させる比較的単純な操作で、前部バッフルプレートの姿勢の切換えを行うことができ、姿勢の切換え操作が容易なものとなる。この場合、前部バッフルプレートを屈曲変形させることにより、波型が比較的小さい（波の高低が比較的小さい）状態の第１姿勢や、波型が比較的大きい（波の高低が比較的大きい）状態の第２姿勢等を比較的容易に設定することができる。
【０００９】
第２の発明は、上記第１の発明において、
第１姿勢において、前部バッフルプレートの屈折変形する部分が直線状に配置されるとともに、前部バッフルプレートの屈折変形する部分を前方に屈折することにより、第２姿勢に切換え可能に構成してあるものである。
第３の発明は、上記第１又は第２の発明において、
第１姿勢において、前部バッフルプレートの屈折変形する部分が直線状に配置されるとともに、前部バッフルプレートの屈折変形する部分を後方に屈折することにより、前部バッフルプレートが第１姿勢よりも回転ブレードの先端回動軌跡に近づく第３姿勢に切換え可能に構成してあるものである。
【００１０】
【発明を実施するための最良の形態】
【００１１】
図１に、本発明に係るモーアＭを装着した乗用型芝刈り機の全体側面が、図２に全体平面がそれぞれ示されている。この乗用型芝刈り機は、キャスタ輪に構成された左右一対の前輪１と左右一対の駆動後輪２を備えた走行機体３における前後輪間の下方に、モーアＭが四連リンク構造のリンク機構４を介して吊り下げ支持された構造となっている。リンク機構４を油圧シリンダ５によって昇降操作することで、モーアＭを略平行に昇降できるよう構成されるとともに、走行機体３の後部にエンジン６が搭載され、その前部に運転座席７および門形の転倒保護フレーム（ＲＯＰＳ）８が配備されている。
【００１２】
詳細な構造の説明は省略するが、エンジン６の出力はカウンターケース９に入力されて走行系と作業系とに分岐され、走行系の動力はカウンターケース９の左右両側に配備された図示されない左右一対の油圧式の無段変速装置（ＨＳＴ）に入力され、その変速出力が減速ケース１０を介して左右の後輪２に伝達されるようになっている。左右の後輪２を駆動する無段変速装置は、運転座席７の左右両脇に前後揺動操作可能に配備された左右一対の走行レバー１１を各別に揺動操作することで、左右の後輪２をそれぞれ独立して無段階に前後進変速するよう構成されており、左右の走行レバー１１の操作具合によって直進前後進、ピボットターン、および、スピンターンを任意に行うことができるようになっている。カウンターケース９で分岐された作業系の動力は、ケース前面下部に突設されたＰＴＯ軸１２から前方に向けて出力されてモーアＭに軸伝達されるようになっている。
【００１３】
図３〜図５に示すように、モーアＭは下向きに開放されたモーアデッキ１５の内部に、縦軸心周りに回転駆動される３枚の回転ブレード１６Ｌ，１６Ｃ，１６Ｒが、中央の回転ブレード１６Ｃが少し前方に偏位するよう平面視で三角配置されて軸支された構造となっており、走行機体３が直進移動した際に、隣接する回転ブレード１６Ｌ，１６Ｃ，１６の先端回動軌跡の左右端が前後に重複して、刈残しの無い草刈が行えるようになっている。
【００１４】
モーアデッキ１５は、天板高さが全体的に同高さに設定されたフラットデッキに構成されるとともに、モーアデッキ１５の右端部には、上方への刈草の飛散を防止する出口カバー２７を供えた排出口ｄが形成されている。
【００１５】
モーアデッキ１５の内部前側には、各回転ブレード１６Ｌ，１６Ｃ，１６Ｒにおける先端回動軌跡の前側部分に沿う前部バッフルプレート１８と、後部バッフルプレート１９とが縦壁状に垂設され、各回転ブレード１６Ｌ，１６Ｃ，１６Ｒの切断室が互いに連通した左右に長い一連の切断空間が、モーアデッキ１５に形成されている。
【００１６】
ＰＴＯ軸１２から取り出された作業用動力は、モーアデッキ１５の中央上面に配備されたベベルギヤケース２１に屈曲および伸縮自在な軸伝動機構２２を介して伝達され、ベベルギヤケース２１で縦軸回転に変換された回転動力が中央の回転ブレード１６Ｃの回転軸２３Ｃに伝達されるとともに、回転軸２３Ｃと左右の回転ブレード１６Ｌ，１６Ｒの回転軸２３Ｌ，２３Ｒとがベルト２４によって巻き掛け連動され、各回転ブレード１６Ｌ，１６Ｃ，１６Ｒにおける先端回転軌跡の前半部が排出口ｄ側に向かうように、各回転ブレード１６Ｌ，１６Ｃ，１６Ｒが同じ方向（上面視で時計回り方向）に等速で回転駆動されるようになっている。モーアデッキ１５の周囲には障害物乗り越え用の遊転輪（アンチスキャルプローラ）２５が配備されており、上方への移動融通をもってリンク機構４に吊り下げ支持されたモーアＭに地上の斜面や隆起部などに接近すると、遊転輪２５のいずれかが隆起部などに乗り上がることでモーアＭが相対的に持ち上げられて、モーアデッキ１５が直接に接触して地面を削ることが回避されるようになっている。
【００１７】
前部バッフルプレート１８が以下のように構成されている。つまり、前方周壁を形成する前部バッフルプレート１８のうち、左の回転ブレード１６Ｌと中央の回転ブレード１６Ｃに対向する部分が所定姿勢で固定された固定プレート１８ａで構成されているのに対して、右の回転ブレード１６Ｒに対向する部分が、左右に短い第１可動プレート１８ｂと左右に長い第２可動プレート１８ｃとを屈折変形可能にピン連結して構成されている。
【００１８】
第１可動プレート１８ｂの左端が、固定プレート１８ａの右端において固定支点ａ周りに前後屈折可能に枢支連結されるとともに、第１可動プレート１８ｂと第２可動プレート１８ｃの左端とが、長孔２６と連結ピン２７を介して可動支点ｂ周りに前後屈折可能に連結支持され、第２可動プレート１８ｃの右端が排出口ｄの近くにおいて固定支点ｃ周りに前後屈折可能に連結支持されている。
【００１９】
本発明のモーアＭは以上のように構成されており、前部バッフルプレート１８の第１可動プレート１８ｂと第２可動プレート１８ｃとを屈折変形することで、草刈り性能を以下のように調整することができる。
【００２０】
図５に示すように、前部バッフルプレート１８の第１可動プレート１８ｂを直線状に設定して、右の回転ブレード１６Ｒの先端回動軌跡に近づく第１姿勢（ｘ）に切換えると、回転ブレード１６Ｌ，１６Ｃ，１６Ｒで切断されて前部バッフルプレート１８に沿って移動する刈草の排出口ｄへの流動が抵抗少なく円滑に行われることになり、刈草の排出性能が高まる。
【００２１】
図５に示すように、前部バッフルプレート１８の第１可動プレート１８ｂを前方に屈折して、右の回転ブレード１６Ｒの先端回動軌跡から離れた第２姿勢（ｙ）に切換えると、中央の回転ブレード１６Ｃと右の回転ブレード１６Ｒとの間において、右の回転ブレード１６Ｒの先端回動軌跡と前部バッフルプレート１８との間の空間が前後に大きいものとなり、その空間において前部バッフルプレート１８の下端を倒れながら潜り抜けてきた草が起き上がりやすいものとなり、草刈り性能が高められて刈残しのない草刈りが行える。
【００２２】
〔別実施形態〕
本発明は、以下のような形態で実施することもできる。
（１）図６中の仮想線に示すように、前部バッフルプレート１８の第１可動プレート１８ｂと第２可動プレート１８ｃとを、後方に突出する第３姿勢（ｚ）まで屈折可能に構成して実施することもできる。これによると、排出口ｄを塞いで刈草を各回転ブレード１６Ｌ，１６Ｃ，１６Ｒの切断室で持ち回り細断するマルチング作業を行う際に、各回転ブレード１６Ｌ，１６Ｃ，１６Ｒの切断室での刈草の持ち回り性能が高められ、良好な細断を行うことができる。
【００２３】
（２）図８に示すように、排出側を直線状にした所定形状の前部バッフルプレート１８を、刈草の排出方向の上手側の支点ｅ周りに前後に揺動させて、前部バッフルプレート１８を、回転ブレード１６Ｌ，１６Ｃ，１６Ｒの先端回動軌跡に近づく第１姿勢と、先端回動軌跡から離れる第２姿勢とに切換え可能に構成して、上記実施例と同様な機能を発揮させることもできる。
【００２４】
（３）図９に示すように、前部バッフルプレート１８を、左の回転ブレード１６Ｌに対向して位置固定された固定プレート１８ａと、中央の回転ブレード１６Ｃと右の回転ブレード１６Ｒとに亘って対向して配備された可動プレート１８ｄとで構成し、可動プレート１８ｄを固定プレート１８ａの右端に位置する支点ｆ周りに前後に揺動させて、前部バッフルプレート１８における刈草の排出方向の下手側部分を、回転ブレード１６Ｃ，１６Ｒの先端回動軌跡に近づく第１姿勢と、先端回動軌跡から離れる第２姿勢とに切換え可能に構成して、上記実施例と同様な機能を発揮させることもできる。
【図面の簡単な説明】
【００２５】
【図１】乗用型芝刈り機の全体側面図
【図２】乗用型芝刈り機の全体平面図
【図３】モーアの平面図
【図４】モーアの縦断側面図
【図５】モーアの横断平面図
【図６】刈草の排出仕様を変更したモーアの横断平面図
【図７】前部バッフルプレートの仕様変更構造を示す斜視図
【図８】別実施例のモーアを示す横断平面図
【図９】更に別の実施例のモーアを示す横断平面図
【符号の説明】
【００２６】
１５                  モーアデッキ
１６Ｌ                回転ブレード
１６Ｃ                回転ブレード
１６Ｒ                回転ブレード
１８                  前部バッフルプレート
ｅ                    支点
ｘ                    第１姿勢
ｙ                    第２姿勢
【図１】
0005001865.tif 000002
【図２】
0005001865.tif 000003
【図３】
0005001865.tif 000004
【図４】
0005001865.tif 000005
【図５】
0005001865.tif 000006
【図６】
0005001865.tif 000007
【図７】
0005001865.tif 000008
【図８】
0005001865.tif 000009
【図９】
0005001865.tif 000010